(57)【要約】【課題】ユーザが電子文書を表示させる端末装置２０が異なる場合であっても、端末装置２０に、前回表示した電子文書のページから表示させることができる電子文書配信システム１０を提供する。【解決手段】電子文書配信サーバ３０は、ユーザが使用する端末装置２０からユーザＩＤ、端末種別、および電子文書閲覧要求を受け付けた場合に、対応するユーザＩＤの最終閲覧情報が最終閲覧情報格納部３０２内に存在するときには、当該最終閲覧情報に対応するページを、電子文書格納部３０４から取得してユーザＩＤに対応する端末装置２０へ送信する。【選択図】図３
2006318308.tif 000002
【特許請求の範囲】
【請求項１】
複数のページから構成される電子文書をページ単位で端末装置に配信する電子文書配信サーバであって、
前記端末装置から電子文書閲覧要求を前記端末装置のユーザの識別子と共に受け付ける閲覧要求受付手段と、
第１の端末装置から電子文書の閲覧を終了する指示を受け付けた場合に、直前に前記第１の端末装置に配信したページを前記第１の端末装置のユーザの識別子に関連付けて記憶する記憶手段と、
第２の端末装置から前記電子文書閲覧要求を受け付けた場合に、前記記憶手段に当該要求に係るユーザの識別子が記憶されている場合には、関連付けられているページを前記第２の端末装置に配信する配信手段と
を備えることを特徴とする電子文書配信サーバ。
【請求項２】
複数のページから構成される電子文書をページ単位で端末装置に配信する電子文書配信サーバであって、
前記電子文書を構成するオリジナルページの少なくとも一部について、前記オリジナルページとは異なる１または複数の代替ページを記憶する代替ページ記憶手段と、
前記端末装置から電子文書閲覧要求を前記端末装置のユーザの識別子および前記端末装置の属性と共に受け付ける閲覧要求受付手段と、
第１の端末装置から電子文書の閲覧を終了する指示を受け付けた場合に、直前に前記第１の端末装置に配信したオリジナルページまたは代替ページを前記第１の端末装置のユーザの識別子に関連付けて記憶する最終送信ページ記憶手段と、
第２の端末装置から前記電子文書閲覧要求を受け付けた場合に、前記最終送信ページ記憶手段に当該要求に係るユーザの識別子が記憶されている場合には、以下の基準により関連付けられているオリジナルページまたは代替ページを前記第２の端末装置に配信する配信手段と
を備えることを特徴とする電子文書配信サーバ。
１）ユーザの識別子に代替ページが関連付けられており、前記第２の端末装置の属性が所定の属性の場合には、前記関連付けられている代替ページを配信する。
２）ユーザの識別子に代替ページが関連付けられており、前記第２の端末装置の属性が所定の属性でない場合には、前記関連付けられている代替ページに対応するオリジナルページを配信する。
３）ユーザの識別子にオリジナルページが関連付けられており、前記第２の端末装置の属性が所定の属性の場合には、前記関連付けられているオリジナルページに対応する代替ページのいずれかを配信する。
４）ユーザの識別子にオリジナルページが関連付けられており、前記第２の端末装置の属性が所定の属性でない場合には、前記関連付けられているオリジナルページを配信する。
【請求項３】
複数のページから構成される電子文書を配信する電子文書配信システムであって、
前記電子文書をページ単位で配信する電子文書配信サーバと、
前記電子文書配信サーバによって配信された電子文書をページ単位で表示する端末装置と
を備え、
前記電子文書配信サーバは、
前記端末装置から電子文書閲覧要求を前記端末装置のユーザの識別子と共に受け付ける閲覧要求受付手段と、
第１の端末装置から電子文書の閲覧を終了する指示と共に最後に閲覧したページの識別子を受け付けた場合に、当該最後に閲覧したページの識別子を前記第１の端末装置のユーザの識別子に関連付けて記憶する最終閲覧ページ記憶手段と、
第２の端末装置から前記電子文書閲覧要求を受け付けた場合に、前記最終閲覧ページ記憶手段に当該要求に係るユーザの識別子が記憶されている場合には、関連付けられているページの識別子に対応するページを前記第２の端末装置に配信する配信手段と
を有し、
前記端末装置は、
前記電子文書閲覧要求をユーザの識別子と共に前記電子文書配信サーバへ送信する閲覧要求送信手段と、
前記閲覧要求送信手段によって送信された電子文書閲覧要求に応答して、前記電子文書配信サーバが配信したページを受信して表示する表示手段と、
前記電子文書の閲覧を終了する場合に、前記電子文書の閲覧を終了する直前に前記表示手段に表示されていたページの識別子を、電子文書の閲覧を終了する指示と共に前記電子文書配信サーバへ送信する最終閲覧ページ送信手段と
を有することを特徴とする電子文書配信システム。
【請求項４】
請求項３に記載の電子文書配信システムであって、
前記ページは、動画像を含むオブジェクトで構成されており、
前記最終閲覧ページ送信手段は、
前記電子文書の閲覧を終了する際に、前記最後に閲覧したページに含まれる動画像の再生が中断された場合、前記動画像における中断箇所を示す情報を前記電子文書配信サーバへさらに送信し、
前記電子文書配信サーバは、
前記第１の端末装置が前記電子文書の閲覧を終了する際に、前記電子文書の閲覧を終了する指示と共に前記動画像における中断箇所を示す情報を受け付けた場合、受け付けた中断箇所を示す情報を前記第１の端末装置のユーザの識別子に関連付けて記憶する中断箇所記憶手段をさらに有し、
前記配信手段は、
前記第２の端末装置から前記電子文書閲覧要求を受け付けた場合に、前記最終閲覧ページ記憶手段に当該要求に係るユーザの識別子が記憶されており、かつ、前記中断箇所記憶手段に当該要求に係るユーザの識別子が記憶されている場合には、関連付けられているページの識別子に対応するページと共に、前記中断箇所を示す情報を前記第２の端末装置に配信し、
前記表示手段は、
前記電子文書配信サーバからページと共に前記中断箇所を示す情報を受信した場合には、受信したページを表示すると共に、受信したページに含まれる動画像を、受信した中断箇所を示す情報に対応する箇所から再生すること
を特徴とする電子文書配信システム。
【請求項５】
請求項３に記載の電子文書配信システムであって、
前記ページは、前記端末装置の画面に表示される領域よりも広い領域を有しており、
前記最終閲覧ページ送信手段は、
前記電子文書の閲覧を終了する際に、前記最後に閲覧したページの中で、閲覧終了の直前に前記第１の端末の画面上に表示されていた箇所を示す情報である表示箇所情報を、前記電子文書の閲覧を終了する指示と共に前記電子文書配信サーバへさらに送信し、
前記電子文書配信サーバは、
前記第１の端末装置が前記電子文書の閲覧を終了する際に、前記電子文書の閲覧を終了する指示と共に前記表示箇所情報を受け付けた場合、受け付けた表示箇所情報を、前記第１の端末装置のユーザの識別子に関連付けて記憶する表示箇所記憶手段をさらに有し、
前記配信手段は、
前記第２の端末装置から前記電子文書閲覧要求を受け付けた場合に、前記最終閲覧ページ記憶手段に当該要求に係るユーザの識別子が記憶されており、かつ、前記表示箇所記憶手段に当該要求に係るユーザの識別子が記憶されている場合には、関連付けられているページの識別子に対応するページと共に、関連付けられている表示箇所情報を前記第２の端末装置に配信し、
前記表示手段は、
前記電子文書配信サーバからページと共に前記表示箇所情報を受信した場合には、受信したページの中で、当該表示箇所情報に対応する箇所を表示すること
を特徴とする電子文書配信システム。
【請求項６】
複数のページから構成される電子文書を配信する電子文書配信システムであって、
前記電子文書をページ単位で配信する電子文書配信サーバと、
前記電子文書配信サーバによって配信された電子文書をページ単位で表示する端末装置と
を備え、
前記電子文書配信サーバは、
前記電子文書を構成するオリジナルページの少なくとも一部について、前記オリジナルページとは異なる１または複数の代替ページを記憶する代替ページ記憶手段と、
前記端末装置から電子文書閲覧要求を前記端末装置のユーザの識別子および前記端末装置の属性と共に受け付ける閲覧要求受付手段と、
第１の端末装置から電子文書の閲覧を終了する指示と共に最後に閲覧したオリジナルページまたは代替ページの識別子を受け付けた場合に、当該最後に閲覧したオリジナルページまたは代替ページの識別子を前記第１の端末装置のユーザの識別子に関連付けて記憶する最終閲覧ページ記憶手段と、
第２の端末装置から前記電子文書閲覧要求を受け付けた場合に、前記最終閲覧ページ記憶手段に当該要求に係るユーザの識別子が記憶されている場合には、以下の基準によりオリジナルページまたは代替ページを前記第２の端末装置に配信する配信手段と
を有し、
１）ユーザの識別子に代替ページが関連付けられており、前記第２の端末装置の属性が所定の属性の場合には、前記関連付けられている代替ページの識別子に対応する代替ページを配信する。
２）ユーザの識別子に代替ページが関連付けられており、前記第２の端末装置の属性が所定の属性でない場合には、前記関連付けられている代替ページの識別子に対応する代替ページに関連するオリジナルページを配信する。
３）ユーザの識別子にオリジナルページが関連付けられており、前記第２の端末装置の属性が所定の属性の場合には、前記関連付けられているオリジナルページの識別子に対応するオリジナルページに関連する代替ページのいずれかを配信する。
４）ユーザの識別子にオリジナルページが関連付けられており、前記第２の端末装置の属性が所定の属性でない場合には、前記関連付けられているオリジナルページの識別子に対応するオリジナルページを配信する。
前記端末装置は、
前記電子文書閲覧要求をユーザの識別子および前記端末装置の属性と共に前記電子文書配信サーバへ送信する閲覧要求送信手段と、
前記閲覧要求送信手段によって送信された電子文書閲覧要求に応答して、前記電子文書配信サーバが配信したオリジナルページまたは代替ページを受信して表示する表示手段と、
前記電子文書の閲覧を終了する場合に、前記電子文書の閲覧を終了する直前に前記表示手段に表示されていたページの識別子を、電子文書の閲覧を終了する指示と共に前記電子文書配信サーバへ送信する最終閲覧ページ送信手段と
を有することを特徴とする電子文書配信システム。
【請求項７】
請求項６に記載の電子文書配信システムであって、
前記オリジナルページ、および、当該オリジナルページに対応する代替ページのいずれかは、動画像を含むオブジェクトで構成されており、
前記最終閲覧ページ送信手段は、
前記電子文書の閲覧を終了する際に、前記最後に閲覧したオリジナルページまたは代替ページに含まれる動画像の再生が中断された場合、前記動画像における中断箇所を示す情報を前記電子文書配信サーバへさらに送信し、
前記電子文書配信サーバは、
前記第１の端末装置が前記電子文書の閲覧を終了する際に、前記電子文書の閲覧を終了する指示と共に前記動画像における中断箇所を示す情報を受け付けた場合、受け付けた中断箇所を示す情報を前記第１の端末装置のユーザの識別子に関連付けて記憶する中断箇所記憶手段をさらに有し、
前記配信手段は、
前記第２の端末装置から前記電子文書閲覧要求を受け付けた場合に、前記最終閲覧ページ記憶手段に当該要求に係るユーザの識別子が記憶されており、かつ、前記中断箇所記憶手段に当該要求に係るユーザの識別子が記憶されている場合には、オリジナルページまたは代替ページと共に、前記中断箇所を示す情報を前記第２の端末装置に配信し、
前記表示手段は、
前記電子文書配信サーバからオリジナルページまたは代替ページと共に前記中断箇所を示す情報を受信した場合には、受信したオリジナルページまたは代替ページを表示すると共に、受信したオリジナルページまたは代替ページに含まれる動画像を、受信した中断箇所を示す情報に対応する箇所から再生すること
を特徴とする電子文書配信システム。
【請求項８】
請求項６に記載の電子文書配信システムであって、
前記オリジナルページおよび前記代替ページは、前記端末装置の画面に表示される領域よりも広い領域を有しており、
前記最終閲覧ページ送信手段は、
前記電子文書の閲覧を終了する際に、前記最後に閲覧したオリジナルページまたは代替ページの中で、閲覧終了の直前に前記第１の端末の画面上に表示されていた箇所を示す情報である表示箇所情報を、前記電子文書の閲覧を終了する指示と共に前記電子文書配信サーバへさらに送信し、
前記配信手段は、
前記第２の端末装置から前記電子文書閲覧要求を受け付けた場合に、前記最終閲覧ページ記憶手段に当該要求に係るユーザの識別子が記憶されており、かつ、前記表示箇所記憶手段に当該要求に係るユーザの識別子が記憶されている場合には、関連付けられているオリジナルページまたは代替ページの識別子に対応するページと共に、関連付けられている表示領域情報を前記第２の端末装置に配信し、
前記表示手段は、
前記電子文書配信サーバからオリジナルページまたは代替ページと共に前記表示箇所情報を受信した場合には、受信したオリジナルページまたは代替ページの中で、当該表示箇所情報に対応する箇所を表示すること
を特徴とする電子文書配信システム。
【発明の詳細な説明】
【技術分野】
【０００１】
本発明は、電子データによって構成された電子文書を配信して端末に表示する技術に関する。
【背景技術】
【０００２】
近年の情報通信技術の発展に伴って、通信インターフェイスを備える端末装置を介して、インターネットに接続されたサーバに格納されている様々な電子文書を閲覧することができる。端末装置としては、ＰＣ（Ｐｅｒｓｏｎａｌ  Ｃｏｍｐｕｔｅｒ）等の設置型の端末以外に、近年では、携帯電話やＰＤＡ（Ｐｅｒｓｏｎａｌ  Ｄｉｇｉｔａｌ  Ａｓｓｉｓｔａｎｔｓ）等の携帯型の端末もあり、通信可能な環境であれば場所を選ばず電子文書の閲覧が可能となっている。
【０００３】
また、閲覧するユーザをユーザＩＤで識別し、許可されたユーザＩＤを入力したユーザに対して電子文書を提供することにより、使用する端末装置が異なる場合であっても、所望の電子文書を閲覧することができる技術が知られている。これにより、例えば、自宅で閲覧していた電子文書を、インターネットカフェ等に設置された端末装置においても閲覧することができる。
【発明の開示】
【発明が解決しようとする課題】
【０００４】
ところで、動画像や電子書籍等の電子文書の中には、閲覧するのに比較的時間のかかるものがある。このような電子文書において、閲覧を中断した後に閲覧を再開する場合、ユーザは、前回までに閲覧していないページやシーンを探して閲覧を再開することになる。そのためには、ユーザは、前回閲覧した情報を記憶していなければならず、前回の続きから閲覧を再開するのに時間がかかる場合があった。
【０００５】
また、前回閲覧したページやシーンの情報を端末装置内に格納しておき、閲覧を再開する場合に、格納した情報に基づいて、閲覧していないページやシーンから閲覧を再開することができる場合がある。しかし、このような場合であっても、閲覧に用いる端末装置が異なると、再び電子文書を取得できたとしても、前回までに閲覧したページやシーンの情報を取得することができなかった。
【０００６】
さらに、ＰＣ等の端末装置では表示可能であった動画像や電子書籍等の電子文書が、ＰＤＡ等の携帯端末装置では、搭載しているメモリの容量や表示画面の大きさの制限等により、表示することができない場合がある。そのため、ユーザは、動画像や電子書籍等の電子文書をＰＣ等で閲覧した後に、ＰＤＡ等で閲覧を再開することができない場合があった。
【０００７】
本発明は上記事情を鑑みてなされたものであり、本発明の目的は、ユーザが電子文書の閲覧を再開する場合に、使用する端末装置が異なる場合であっても、前回表示した電子文書を前回の続きから端末装置に表示させることができる電子文書配信サーバおよび電子文書配信システムを提供することにある。
【課題を解決するための手段】
【０００８】
上記課題を解決するために、本発明の電子文書配信サーバは、複数のページから構成される電子文書において、第１の端末装置に最後に表示されていたページに関する情報を、ユーザの識別子に関連付けて格納し、ユーザ識別子と共に電子文書の閲覧要求を第２の端末装置から受け付けた場合に、受け付けたユーザ識別子がサーバ内に格納されている場合には、このユーザ識別子に関連付けられている情報に対応するページを第２の端末装置へ配信する。
【０００９】
また、本発明の第１の態様は、例えば、複数のページから構成される電子文書をページ単位で端末装置に配信する電子文書配信サーバであって、端末装置から電子文書閲覧要求を端末装置のユーザの識別子と共に受け付ける閲覧要求受付手段と、第１の端末装置から電子文書の閲覧を終了する指示を受け付けた場合に、直前に第１の端末装置に配信したページを第１の端末装置のユーザの識別子に関連付けて記憶する記憶手段と、第２の端末装置から電子文書閲覧要求を受け付けた場合に、記憶手段に当該要求に係るユーザの識別子が記憶されている場合には、関連付けられているページを第２の端末装置に配信する配信手段とを備えることを特徴とする。
【００１０】
また、本発明の第２の態様は、例えば、複数のページから構成される電子文書をページ単位で端末装置に配信する電子文書配信サーバであって、電子文書を構成するオリジナルページの少なくとも一部について、オリジナルページとは異なる１または複数の代替ページを記憶する代替ページ記憶手段と、端末装置から電子文書閲覧要求を端末装置のユーザの識別子および端末装置の属性と共に受け付ける閲覧要求受付手段と、第１の端末装置から電子文書の閲覧を終了する指示を受け付けた場合に、直前に第１の端末装置に配信したオリジナルページまたは代替ページを第１の端末装置のユーザの識別子に関連付けて記憶する最終送信ページ記憶手段と、第２の端末装置から電子文書閲覧要求を受け付けた場合に、最終送信ページ記憶手段に当該要求に係るユーザの識別子が記憶されている場合には、以下の基準により関連付けられているオリジナルページまたは代替ページを第２の端末装置に配信する配信手段とを備えることを特徴とする。
１）ユーザの識別子に代替ページが関連付けられており、第２の端末装置の属性が所定の属性の場合には、関連付けられている代替ページを配信する。
２）ユーザの識別子に代替ページが関連付けられており、第２の端末装置の属性が所定の属性でない場合には、関連付けられている代替ページに対応するオリジナルページを配信する。
３）ユーザの識別子にオリジナルページが関連付けられており、第２の端末装置の属性が所定の属性の場合には、関連付けられているオリジナルページに対応する代替ページのいずれかを配信する。
４）ユーザの識別子にオリジナルページが関連付けられており、第２の端末装置の属性が所定の属性でない場合には、関連付けられているオリジナルページを配信する。
【００１１】
また、本発明の第３の態様は、例えば、複数のページから構成される電子文書を配信する電子文書配信システムであって、電子文書をページ単位で配信する電子文書配信サーバと、電子文書配信サーバによって配信された電子文書をページ単位で表示する端末装置とを備え、電子文書配信サーバは、端末装置から電子文書閲覧要求を端末装置のユーザの識別子と共に受け付ける閲覧要求受付手段と、第１の端末装置から電子文書の閲覧を終了する指示と共に最後に閲覧したページの識別子を受け付けた場合に、当該最後に閲覧したページの識別子を第１の端末装置のユーザの識別子に関連付けて記憶する最終閲覧ページ記憶手段と、第２の端末装置から電子文書閲覧要求を受け付けた場合に、最終閲覧ページ記憶手段に当該要求に係るユーザの識別子が記憶されている場合には、関連付けられているページの識別子に対応するページを第２の端末装置に配信する配信手段とを有し、端末装置は、電子文書閲覧要求をユーザの識別子と共に電子文書配信サーバへ送信する閲覧要求送信手段と、閲覧要求送信手段によって送信された電子文書閲覧要求に応答して、電子文書配信サーバが配信したページを受信して表示する表示手段と、電子文書の閲覧を終了する場合に、電子文書の閲覧を終了する直前に表示手段に表示されていたページの識別子を、電子文書の閲覧を終了する指示と共に電子文書配信サーバへ送信する最終閲覧ページ送信手段とを有することを特徴とする。
【００１２】
また、本発明の第４の態様は、例えば、複数のページから構成される電子文書を配信する電子文書配信システムであって、電子文書をページ単位で配信する電子文書配信サーバと、電子文書配信サーバによって配信された電子文書をページ単位で表示する端末装置とを備え、電子文書配信サーバは、電子文書を構成するオリジナルページの少なくとも一部について、オリジナルページとは異なる１または複数の代替ページを記憶する代替ページ記憶手段と、端末装置から電子文書閲覧要求を端末装置のユーザの識別子および端末装置の属性と共に受け付ける閲覧要求受付手段と、第１の端末装置から電子文書の閲覧を終了する指示と共に最後に閲覧したオリジナルページまたは代替ページの識別子を受け付けた場合に、当該最後に閲覧したオリジナルページまたは代替ページの識別子を第１の端末装置のユーザの識別子に関連付けて記憶する最終閲覧ページ記憶手段と、第２の端末装置から電子文書閲覧要求を受け付けた場合に、最終閲覧ページ記憶手段に当該要求に係るユーザの識別子が記憶されている場合には、以下の基準によりオリジナルページまたは代替ページを第２の端末装置に配信する配信手段とを有し、
１）ユーザの識別子に代替ページが関連付けられており、第２の端末装置の属性が所定の属性の場合には、関連付けられている代替ページの識別子に対応する代替ページを配信する。
２）ユーザの識別子に代替ページが関連付けられており、第２の端末装置の属性が所定の属性でない場合には、関連付けられている代替ページの識別子に対応する代替ページに関連するオリジナルページを配信する。
３）ユーザの識別子にオリジナルページが関連付けられており、第２の端末装置の属性が所定の属性の場合には、関連付けられているオリジナルページの識別子に対応するオリジナルページに関連する代替ページのいずれかを配信する。
４）ユーザの識別子にオリジナルページが関連付けられており、第２の端末装置の属性が所定の属性でない場合には、関連付けられているオリジナルページの識別子に対応するオリジナルページを配信する。
端末装置は、電子文書閲覧要求をユーザの識別子および端末装置の属性と共に電子文書配信サーバへ送信する閲覧要求送信手段と、閲覧要求送信手段によって送信された電子文書閲覧要求に応答して、電子文書配信サーバが配信したオリジナルページまたは代替ページを受信して表示する表示手段と、電子文書の閲覧を終了する場合に、電子文書の閲覧を終了する直前に表示手段に表示されていたページの識別子を、電子文書の閲覧を終了する指示と共に電子文書配信サーバへ送信する最終閲覧ページ送信手段とを有することを特徴とする。
【発明の効果】
【００１３】
本発明によれば、端末装置が異なる場合であっても、端末装置のユーザが電子文書の閲覧を再開する場合に、前回表示した電子文書のページから端末装置に表示させることができる。
【発明を実施するための最良の形態】
【００１４】
以下に、本発明の実施の形態について、図面を参照しながら説明する。
【００１５】
図１は、本発明の一実施形態に係る電子文書配信システム１０の構成を示すシステム構成図である。電子文書配信システム１０は、電子文書配信サーバ３０および複数の端末装置２０を備える。
【００１６】
端末装置２０−１は、例えばＰＣ等であり、インターネット等の通信網１１を介して電子文書配信サーバ３０に接続されている。端末装置２０−２は、例えば携帯電話や無線通信機能を備えるＰＤＡ等であり、通信網１１に接続された基地局１２を介して、電子文書配信サーバ３０と通信することができる。
【００１７】
電子文書配信サーバ３０は、ページ単位で構成されている電子文書を格納しており、それぞれの端末装置２０からの電子文書の閲覧要求に応じて、格納している電子文書のページを、通信網１１を介して端末装置２０へ送信する。電子文書配信サーバ３０が格納する電子文書とは、例えば、テキスト、動画像、および静止画像を含むオブジェクト、ならびにこれらのオブジェクトの組み合わせによって構成されており、その内容としては、例えば、製品等の電子マニュアルや電子書籍、ウェブサイト等である。
【００１８】
それぞれの端末装置２０は、ユーザから電子文書の表示指示を受け付けると、ユーザＩＤおよび電子文書閲覧要求を含むログイン要求を、通信網１１を介して電子文書配信サーバ３０へ送信する。そして、それぞれの端末装置２０は、ログイン要求に応答して電子文書配信サーバ３０から配信された電子文書のページを受信して表示する。
【００１９】
その後、ユーザが電子文書の閲覧を終了した場合（例えば電子文書を閲覧するためのブラウザを終了した場合等）に、端末装置２０は、ユーザＩＤおよび最後に表示していた電子文書のページに関する情報である最終閲覧情報を含むログアウト要求を、通信網１１を介して電子文書配信サーバ３０へ送信する。
【００２０】
これにより、電子文書配信サーバ３０は、端末装置２０から次回ログイン要求を受信した場合に、ログイン要求を受け付けた端末装置２０に前回配信したページから、電子文書の配信を再開することができる。
【００２１】
図２は、端末装置２０の詳細な機能構成の一例を示すブロック図である。
【００２２】
端末装置２０は、有線通信路、または、有線および無線通信路を用いて、通信網１１を介して電子文書配信サーバ３０と通信を行う。また、端末装置２０は、通信網１１に接続された基地局１２と、Ｗ−ＣＤＭＡ、ＰＨＳ、Ｗｉｒｅｌｅｓｓ−ＬＡＮ等を用いて通信を行うことにより、基地局１２に接続された通信網１１を介して電子文書配信サーバ３０と通信を行ってもよい。
【００２３】
端末装置２０は、閲覧要求送信部２００、表示部２０１、および最終閲覧情報送信部２０２を備える。
【００２４】
閲覧要求送信部２００は、入力装置２２を介して、端末装置２０のユーザから電子文書の表示指示を受け付けた場合に、ユーザＩＤ、ユーザ端末２０の種別を特定する情報である端末種別、および電子文書の閲覧要求を含むログイン要求を、通信網１１を介して電子文書配信サーバ３０へ送信する。
【００２５】
また、閲覧要求送信部２００は、ログイン要求を送信後に、入力装置２２を介して、電子文書内の他のページの取得指示をユーザから受け付けた場合に、ユーザＩＤ、端末種別、および取得すべきページのＩＤを含むページ取得要求を端末装置２０へ送信する。
【００２６】
表示部２０１は、閲覧要求送信部２００が送信したログイン要求に応答して電子文書配信サーバ３０から配信された電子文書のページを受信して表示装置２１に表示する。
【００２７】
表示装置２１は、例えば、音声再生機能を有するＣＲＴ（Ｃａｔｈｏｄｅ  Ｒａｙ  Ｔｕｂｅ）ディスプレイやＬＣＤ（Ｌｉｑｕｉｄ  Ｃｒｙｓｔａｌ  Ｄｉｓｐｌａｙ）等である。なお、本例では表示装置２１および入力装置２２を端末装置２０とは別体として説明しているが、他の例として、端末装置２０は表示装置２１および入力装置２２の機能を有していてもよい。
【００２８】
最終閲覧情報送信部２０２は、端末装置２０のユーザが電子文書の閲覧を終了した場合（例えば電子文書を閲覧するためのブラウザを終了した場合等）に、ユーザＩＤおよび最終閲覧情報を含むログアウト要求を、通信網１１を介して電子文書配信サーバ３０へ送信する。
【００２９】
図３は、電子文書配信サーバ３０の詳細な機能構成の一例を示すブロック図である。電子文書配信サーバ３０は、閲覧要求受付部３００、電子文書配信部３０１、最終閲覧情報格納部３０２、最終閲覧情報受付部３０３、電子文書格納部３０４、および対応表格納部３０５を備える。
【００３０】
電子文書格納部３０４は、ページ単位で構成されている電子文書を、その電子文書を表示する端末装置２０の端末種別毎に、対応する端末種別の端末装置２０において表示可能な形式で予め格納している。本例において、電子文書格納部３０４は、ＰＣ等の使用可能なハードウェア資源が比較的豊富な端末装置２０において表示可能な形式のページ（以下、オリジナルページと称する）、および携帯電話等の使用可能なハードウェア資源が比較的少ない端末装置２０において表示可能な形式のページ（以下、代替ページと称する）の２種類の形式で、電子文書を格納している。
【００３１】
端末種別のそれぞれに対応する電子文書のページのそれぞれには、いずれの端末種別の端末装置２０に対応する電子文書のいずれのページであるかを識別するＩＤが割り当てられている。
【００３２】
なお、端末装置２０の端末種別は、ＰＣおよび携帯電話の種別に限られず、例えば、汎用ＰＣ、携帯電話、ＰＤＡ等の電子文書配信システム１０のカテゴリや、搭載しているメモリの容量、表示画面の大きさ、表示画面の解像度、通信速度等の端末装置２０の性能、使用言語、ブラウザの種類、ブラウザのバージョン等の端末装置２０の表示環境等に応じて分けられたものであってもよい。
【００３３】
対応表格納部３０５は、端末種別毎のページのそれぞれが、他の端末種別のページのいずれに対応するものであるかを特定する対応表を格納している。本例において、１つのオリジナルページは、複数の代替ページに対応付けられている。
【００３４】
最終閲覧情報格納部３０２は、端末装置２０が電子文書の閲覧を終了した際に最後に端末装置２０に表示されていた電子文書のオリジナルページまたは代替ページのＩＤを最終閲覧情報として、その端末装置２０を使用しているユーザのＩＤに対応付けて格納する。
【００３５】
最終閲覧情報受付部３０３は、ログアウト要求を受け付けた場合に、受け付けたログアウト要求に含まれる最終閲覧情報を、ログアウト要求に含まれるユーザＩＤに対応付けて最終閲覧情報格納部３０２に格納する。
【００３６】
閲覧要求受付部３００は、通信網１１を介して、端末装置２０からユーザＩＤ、端末種別、および電子文書閲覧要求を含むログイン要求を受け付ける。
【００３７】
電子文書配信部３０１は、閲覧要求受付部３００が端末装置２０からログイン要求を受け付けた場合に、最終閲覧情報格納部３０２を参照して、ログイン要求に含まれるユーザＩＤに対応する最終閲覧情報が存在するか否かを判定する。
【００３８】
対応するユーザＩＤの最終閲覧情報が最終閲覧情報格納部３０２内に存在する場合、電子文書配信部３０１は、以下の基準により、最終閲覧情報格納部３０２内の最終閲覧情報に対応するオリジナルページまたは代替ページを特定し、特定したページを電子文書格納部３０４から取得してログイン要求を受け付けた端末装置２０へ配信する。
１）最終閲覧情報として代替ページのＩＤが、ログイン要求に含まれるユーザＩＤに対応付けられて最終閲覧情報格納部３０２内に格納されており、かつ、ログイン要求に含まれる端末種別が所定の属性（本例では携帯電話等）である場合、電子文書配信部３０１は、最終閲覧情報が示す代替ページを取得して配信する。
２）最終閲覧情報として代替ページのＩＤが、ログイン要求に含まれるユーザＩＤに対応付けられて最終閲覧情報格納部３０２内に格納されており、かつ、ログイン要求に含まれる端末種別が所定の属性でない（本例ではＰＣ等）場合、電子文書配信部３０１は、対応表格納部３０５に格納されている対応表を参照して、最終閲覧情報が示す代替ページに対応するオリジナルページを配信する。
３）最終閲覧情報としてオリジナルページのＩＤが、ログイン要求に含まれるユーザＩＤに対応付けられて最終閲覧情報格納部３０２内に格納されており、かつ、ログイン要求に含まれる端末種別が所定の属性である場合、電子文書配信部３０１は、最終閲覧情報が示すオリジナルページに対応する代替ページのいずれかを取得して配信する。
４）最終閲覧情報としてオリジナルページのＩＤが、ログイン要求に含まれるユーザＩＤに対応付けられて最終閲覧情報格納部３０２内に格納されており、かつ、ログイン要求に含まれる端末種別が所定の属性でない場合、電子文書配信部３０１は、対応表格納部３０５に格納された対応表を参照して、最終閲覧情報が示すオリジナルページを取得して配信する。
【００３９】
対応するユーザＩＤの最終閲覧情報が最終閲覧情報格納部３０２内に存在しない場合には、電子文書配信部３０１は、電子文書格納部３０４を参照して、ログイン要求に含まれる端末種別に対応するオリジナルページまたは代替ページの最初のページを電子文書格納部３０４から取得して、ログイン要求を受け付けた端末装置２０へ配信する。
【００４０】
なお、閲覧要求受付部３００がログイン要求を受け付けた端末装置２０からページ取得要求を受け付けた場合、電子文書配信部３０１は、ページ取得要求に含まれるページＩＤおよび端末種別に対応するページを電子文書格納部３０４から取得し、取得したページを、ページ取得要求を送信した端末装置２０へ配信する。
【００４１】
図４は、電子文書格納部３０４に格納されるデータの構造の一例を示す。電子文書格納部３０４は、複数のページデータ３０４１で構成される電子文書を、対応する端末種別３０４０と共に格納している。
【００４２】
本例では、ＰＣ等の端末装置２０に対応する端末種別３０４０をａａａで示し、携帯電話等の端末装置２０に対応する端末種別３０４０をｂｂｂで示している。本図に示すように、端末種別３０４０がａａａの端末装置２０向けの電子文書は、２つのオリジナルページで構成され、Ａ−１およびＡ−２のページＩＤがそれぞれ割り当てられている。また、端末種別３０４０がｂｂｂの端末装置２０向けの電子文書は、６つの代替ページで構成され、Ｂ−１〜Ｂ−６のページＩＤがそれぞれ割り当てられている。
【００４３】
電子文書格納部３０４を参照することにより、電子文書配信部３０１は、所定のページＩＤを有する電子文書のページを取得して端末装置２０へ配信することができる。
【００４４】
図５は、ページ構成が端末種別毎に異なる場合の一例を説明するための概念図である。
【００４５】
電子文書格納部３０４は、例えば端末種別がＰＣ等である端末装置２０において表示可能なオリジナルページの１つを、例えば図５（ａ）に示すようなページ構成のデータとし格納している。また、電子文書格納部３０４は、図５（ａ）に示したオリジナルページ４０に対応する代替ページであって、例えば端末種別が携帯電話等である端末装置２０において表示可能な代替ページを、図５（ｂ）から（ｄ）に示すようなページ構成のデータとして格納している。
【００４６】
図５（ａ）に示すオリジナルページ４０では、ＰＣ等の端末装置２０上で、ボタン４０４がクリックされると、動画像表示領域４０１に動画像が再生され、動画像に同期したテロップがテロップ表示領域４０２に表示される。また、ボタン４０３がクリックされると、動画像表示領域４０１に動画像のダイジェストが再生され、動画像のダイジェストに同期したテロップがテロップ表示領域４０２に表示される。ここで、動画像のダイジェストとは、例えば、ボタン４０４がクリックされた場合に動画像表示領域４０１に再生される動画像よりも単位時間に表示されるフレーム数が少ない動画像である。
【００４７】
また、サムネイル４０５、サムネイル４０６、およびサムネイル４０７は、動画像表示領域４０１に表示される動画像のシーンの例えば先頭のフレームを示しており、サムネイル４０５がクリックされると、サムネイル４０５に対応するフレームから、サムネイル４０６がクリックされると、サムネイル４０６に対応するフレームから、サムネイル４０７がクリックされると、サムネイル４０７に対応するフレームから、対応する動画像が動画像表示領域４０１に表示される。
【００４８】
図５（ｂ）に示す代替ページ４１では、サムネイル４１０、サムネイル４１１、およびサムネイル４１２が携帯電話等の端末装置２０に表示され、サムネイル４１０、サムネイル４１１、またはサムネイル４１２が選択されると、図５（ｃ）に示すように、代替ページ４２が表示され、代替ページ４１において選択されたサムネイルに対応するフレームから、動画像が動画像表示領域４２０に表示され、対応するテロップがテロップ表示領域４２１に表示される。
【００４９】
図５（ｃ）に示す代替ページ４２では、ボタン４２２が選択されると、携帯電話等の端末装置２０にページ４１が表示され、ボタン４２３が選択されると、図５（ｄ）に示すページ４３が端末装置２０に表示され、ダイジェスト表示領域４３０に動画像のダイジェストが表示される。図５（ｄ）に示す代替ページ４３では、ボタン４３２が選択されると、端末装置２０にページ４２が表示され、ボタン４３３が選択されると、端末装置２０にページ４１が表示される。
【００５０】
ここで、メモリ容量が比較的少ない携帯電話等の端末装置２０では、ＰＣ等の端末装置２０よりも１回に取得可能なデータ量が少ない場合がある。そのため、ＰＣ等の端末装置２０向けに作成されたオリジナルページ４０は、携帯電話等の端末装置２０用に複数に分割される。これにより、表示画面が小さく、搭載しているメモリの容量が少ない携帯電話等の端末装置２０であっても、端末装置２０向けに作成されたオリジナルページ４０を含む電子文書が示す内容を閲覧することができる。
【００５１】
なお、代替ページ４１から代替ページ４３には電子文書の作成者等によって予め表示順番が割り当てられており、ＰＣ等の端末装置２０においてオリジナルページ４０を表示した状態で電子文書の閲覧を終了した後に、携帯電話等の端末装置２０で電子文書の閲覧を再開する場合、端末装置２０には、代替ページ４１から表示される。
【００５２】
また、本例では、オリジナルページ４０が代替ページ４１から代替ページ４３に分割されたが、他の例として、代替ページ４１から代替ページ４３に表示されるオブジェクトのデータ量がさらに削減されてもよい。例えば、代替ページ４１内のサムネイル４１０からサムネイル４１２のそれぞれの画素数は、オリジナルページ４０のサムネイル４０５からサムネイル４０７のそれぞれの画素数よりも少なくてもよい。また、代替ページ４２において、動画像表示領域４２０内で再生される動画像のフレーム数または単位時間あたりのフレーム数は、オリジナルページ４０において、ボタン４０４がクリックされた場合に動画像表示領域４０１内で再生される動画像のフレーム数または単位時間あたりのフレーム数よりも少なくてもよい。
【００５３】
図６は、最終閲覧情報格納部３０２に格納されるデータの構造の一例を示す。最終閲覧情報格納部３０２は、最終閲覧情報３０２１を、ユーザＩＤ３０２０に対応付けて格納する。本例において、最終閲覧情報３０２１は、端末装置２０において最後に表示されたオリジナルページまたは代替ページのＩＤである。
【００５４】
最終閲覧情報格納部３０２を参照することにより、電子文書配信部３０１は、ログイン要求を送信した端末装置２０において、前回、最後に表示したオリジナルページまたは代替ページのＩＤを取得することができる。
【００５５】
図７は、対応表格納部３０５に格納されるデータの構造の一例を示す。対応表格納部３０５は、複数のページＩＤ３０５１を、それぞれの端末種別３０５０に対応付けて格納している。
【００５６】
図７に示す例では、端末種別３０５０がａａａの端末装置２０向けに作成されたＡ−１のオリジナルページは、端末種別３０５０がｂｂｂの端末装置２０向けとして、Ｂ−１、Ｂ−２、およびＢ−３の代替ページに分割されていることが示されており、端末種別３０５０がａａａの端末装置２０向けに作成されたＡ−２のオリジナルページは、端末種別３０５０がｂｂｂの端末装置２０向けとして、Ｂ−４、Ｂ−５、およびＢ−４の代替ページに分割されていることが示されている。
【００５７】
対応表格納部３０５を参照することにより、電子文書配信部３０１は、最終閲覧情報格納部３０２内の最終閲覧情報に対応するオリジナルページまたは代替ページを特定することができる。
【００５８】
図８は、端末装置２０の動作の一例を示すフローチャートである。例えば、ユーザによってブラウザが起動される等の所定のタイミングで、端末装置２０は本フローチャートに示す動作を開始する。
【００５９】
まず、閲覧要求送信部２００は、ユーザＩＤ、端末種別、および電子文書閲覧要求を含むログイン要求を電子文書配信サーバ３０へ送信することにより、電子文書配信サーバ３０にログインする（Ｓ１００）。そして、表示部２０１は、電子文書配信サーバ３０から電子文書のページを受信して表示装置２１に表示する（Ｓ１０１）。
【００６０】
次に、閲覧要求送信部２００は、入力装置２２を介して、表示部２０１が現在表示しているページとは異なる、電子文書内の他のページを表示する旨の指示をユーザから受け付けたか否かを判定する（Ｓ１０２）。他のページの表示要求を受け付けた場合（Ｓ１０２：Ｙｅｓ）、閲覧要求送信部２００は、指示されたページの取得要求を電子文書配信サーバ３０へ送信し（Ｓ１０３）、表示装置２１０は、再びステップ１０１に示した処理を行う。
【００６１】
他のページの表示要求を受け付けていない場合（Ｓ１０２：Ｎｏ）、閲覧要求送信部２００は、例えばブラウザが終了したか否かを判定することにより、電子文書の閲覧が終了したか否かを判定する（Ｓ１０４）。電子文書の閲覧が終了していない場合（Ｓ１０４：Ｎｏ）、閲覧要求送信部２００は、再びステップ１０２に示した処理を行う。
【００６２】
電子文書の閲覧が終了した場合（Ｓ１０４：Ｙｅｓ）、閲覧要求送信部２００は、ユーザＩＤを含むログアウト要求を、最後に閲覧要求送信部２００が表示していたページのＩＤと共に電子文書配信サーバ３０へ送信し（Ｓ１０５）、本フローチャートに示す端末装置２０の処理は終了する。
【００６３】
図９は、電子文書配信サーバ３０の動作の一例を示すフローチャートである。例えば、電源を投入される等の所定にタイミングで、電子文書配信サーバ３０は本フローチャートに示す動作を開始する。
【００６４】
まず、閲覧要求受付部３００は、ユーザＩＤ、端末種別、および電子文書閲覧要求を含むログイン要求を受信したか否かを判定する（Ｓ２００）。ログイン要求を受信していない場合（Ｓ２００：Ｎｏ）、閲覧要求受付部３００は、ログイン要求を受信するまでステップ２００を繰り返す。
【００６５】
ログイン要求を受信した場合（Ｓ２００：Ｙｅｓ）、電子文書配信部３０１は、ログイン要求に含まれるユーザＩＤに対応する最終閲覧情報が最終閲覧情報格納部３０２内にあるか否かを判定する（Ｓ２０１）。ユーザＩＤに対応する最終閲覧情報が最終閲覧情報格納部３０２内にない場合（Ｓ２０１：Ｎｏ）、ログイン要求に含まれる端末種別に対応するオリジナルページまたは代替ページの最初のページを、ログイン要求を受け付けた端末装置２０へ配信し（Ｓ２０３）、閲覧要求受付部３００は、ステップ２１０に示す処理を行う。
【００６６】
ユーザＩＤに対応する最終閲覧情報が最終閲覧情報格納部３０２内にある場合（Ｓ２０１：Ｙｅｓ）、電子文書配信部３０１は、最終閲覧情報が代替ページのＩＤであるか否かを判定する（Ｓ２０２）。
【００６７】
代替ページのＩＤである場合（Ｓ２０２：Ｙｅｓ）、電子文書配信部３０１は、ログイン要求に含まれる端末種別が所定の属性（本例では携帯端末等）であるか否かを判定する（Ｓ２０４）。端末種別が所定の属性である場合（Ｓ２０４：Ｙｅｓ）、電子文書配信部３０１は、最終閲覧情報で特定される代替ページを電子文書格納部３０４から取得して、ログイン要求を受け付けた端末装置２０へ配信し（Ｓ２０６）、ステップ２１０に示す処理を行う。
【００６８】
端末種別が所定の属性でない（本例ではＰＣ等）場合（Ｓ２０４：Ｎｏ）、電子文書配信部３０１は、対応表格納部３０５に格納された対応表を参照して、最終閲覧情報で特定される代替ページに対応するオリジナルページを特定し、特定したオリジナルページを電子文書格納部３０４から取得して、ログイン要求を受け付けた端末装置２０へ配信し（Ｓ２０８）、ステップ２１０に示す処理を行う。
【００６９】
ステップ２０２において、最終閲覧情報がオリジナルページのＩＤである場合（Ｓ２０２：Ｎｏ）、電子文書配信部３０１は、ログイン要求に含まれる端末種別が所定の属性（本例では携帯端末等）であるか否かを判定する（Ｓ２０５）。端末種別が所定の属性である場合（Ｓ２０５：Ｙｅｓ）、電子文書配信部３０１は、対応表格納部３０５に格納された対応表を参照して、最終閲覧情報で特定されるオリジナルページに対応する代替ページを特定し、特定した代替ページのいずれかを電子文書格納部３０４から取得して、ログイン要求を受け付けた端末装置２０へ配信し（Ｓ２０７）、ステップ２１０に示す処理を行う。
【００７０】
端末種別が所定の属性でない（本例ではＰＣ等）場合（Ｓ２０５：Ｎｏ）、電子文書配信部３０１は、最終閲覧情報で特定されるオリジナルページを電子文書格納部３０４から取得して、ログイン要求を受け付けた端末装置２０へ配信し（Ｓ２０９）、ステップ２１０に示す処理を行う。
【００７１】
次に、閲覧要求受付部３００は、電子文書内の他のページのページＩＤおよび端末種別を含むページ取得要求を端末装置２０から受け付けたか否かを判定する（Ｓ２１０）。ページ取得要求を受け付けた場合（Ｓ２１０：Ｙｅｓ）、ページ取得要求に含まれる端末種別に対応するページであって、ページ取得要求に含まれるページＩＤに対応するページを、ページ取得要求を受け付けた端末装置２０へ配信し（Ｓ２１１）、閲覧要求受付部３００は、再びステップ２１０に示した処理を行う。
【００７２】
ページ取得要求を受け付けていない場合（Ｓ２１０：Ｎｏ）、ユーザＩＤおよび最終閲覧情報を含むログアウト要求を受け付けたか否かを判定する（Ｓ２１２）。ログアウト要求を受け付けていない場合（Ｓ２１２：Ｎｏ）、閲覧要求受付部３００は、再びステップ２１０に示した処理を行う。
【００７３】
ログアウト要求を受け付けた場合（Ｓ２１２：Ｙｅｓ）、最終閲覧情報受付部３０３は、ログアウト要求に含まれる最終表示情報を、ログアウト要求に含まれるユーザＩＤに対応付けて最終閲覧情報格納部３０２に格納し（Ｓ２１３）、本フローチャートに示す電子文書配信サーバ３０の動作は終了する。
【００７４】
以上、本発明の実施形態について説明した。
【００７５】
上記説明から明らかなように、本発明の電子文書配信システム１０によれば、端末装置２０が異なる場合であっても、端末装置２０のユーザが電子文書の閲覧を再開する場合に、前回表示した電子文書のページから端末装置２０に表示させることができる。
【００７６】
なお、本発明は上記の実施形態に限定されるものではなく、その要旨の範囲内で数々の変形が可能である。
【００７７】
例えば、端末装置２０は、電子文書のそれぞれのページを構成するオブジェクトの領域に付された付箋データであって、付箋に記載するテキストや、付箋の形状、色、付箋を添付するオブジェクトの領域情報等を含む付箋データ、電子文書のページに付されたブックマーク、電子文書内で行った検索の履歴であって、検索日時や検索キーワード等を含む検索履歴、および閲覧したページの閲覧履歴等を、最終閲覧情報を含むログアウト要求と共に、電子文書配信サーバ３０へさらに送信してもよい。
【００７８】
この場合、電子文書配信サーバ３０は、ログアウト要求と共に受け取った付箋データ、ブックマーク、検索履歴、閲覧履歴等を、ユーザＩＤに対応付けて格納し、次回、ログイン要求を受け付けた場合に、ログイン要求に含まれるユーザＩＤに対応するこれらの情報が存在する場合には、ログイン要求に応答して送信する電子文書のオリジナルページまたは代替ページと共に、これらの情報を端末装置２０へ送信する。
【００７９】
ログイン時に、ブックマーク、検索履歴、および閲覧履歴等を電子文書のオリジナルページまたは代替ページと共に電子文書配信サーバ３０から受信した場合、端末装置２０は、ユーザからの指示に応じて、受信したこれらの情報を表示部２０１に表示する。
【００８０】
また、ログイン時に、付箋データを電子文書のオリジナルページまたは代替ページと共に電子文書配信サーバ３０から受信した場合、表示部２０１は、受信したオリジナルページまたは代替ページに、受信した付箋データに対応するオブジェクトが存在する場合には、そのオブジェクトの領域に付箋データに対応する付箋を添付して表示装置２１に表示する。
【００８１】
このように、ログインの都度、電子文書配信サーバ３０内に格納されている付箋データ、ブックマーク、検索履歴、および閲覧履歴等の情報を、ログイン要求に含まれるユーザＩＤに対応する端末装置２０へ送信するので、これらの情報を作成する端末装置２０とこれらの情報を参照する端末装置２０とが異なる場合であっても、ユーザは、これらの情報を参照することができる。
【００８２】
また、上記実施形態では、図４において示したように、オリジナルページおよび代替ページという形で予め端末種別毎に電子文書のデータが格納されているが、他の例として、電子文書格納部３０４には１種類の電子文書データを格納し、閲覧要求受付部３００がログイン要求を受け付けた場合に、その都度、この１種類の電子文書データから、ログイン要求に含まれる端末種別に対応する端末装置２０において表示可能な形式のページを生成して電子文書配信部３０１に供給する機能を有するように電子文書配信サーバ３０を構成してもよい。
【００８３】
また、上記実施形態では、電子文書配信サーバ３０が最終閲覧情報を端末装置２０から取得する構成としているが、他の実施形態として、電子文書配信部３０１が電子文書のページを端末装置２０へ送信する都度、送信したページを端末装置２０において最後に閲覧されたページとして、最終閲覧情報格納部３０２に格納してもよい。これにより、端末装置２０が通信エラーによって電子文書の閲覧を終了した場合であっても、通信環境が正常に戻った後に、端末装置２０は前回表示したページから電子文書を表示することができる。
【００８４】
また、ページ内に動画像が含まれる場合において、電子文書の閲覧を終了する際に、動画像の再生が中断された場合には、最終閲覧情報送信部２０２は、最後に表示部２０１が表示したページのＩＤに加えて、動画像の中断箇所を示す情報である中断情報を電子文書配信サーバ３０へ送信してもよい。
【００８５】
このとき、電子文書配信サーバ３０は、中断情報を受け取り、受け取った中断情報を、ユーザＩＤに対応付けて格納する。そして、次回、ログイン要求を受け付けた場合に、電子文書配信サーバ３０は、ログイン要求に含まれるユーザＩＤに対応する中断情報を、電子文書のページと共に端末装置２０へ送信する。そして、表示部２０１は、電子文書配信サーバ３０から受信したページを表示すると共に、ページ内の動画像を、そのページと共に受信した中断情報に対応する動画像の箇所から再生する。
【００８６】
ここで、中断情報とは、例えば、動画像の再生において最後に表示部２０１が表示したフレーム番号や、シーン情報が対応付けられている動画像においては、最後に表示部２０１に表示されたシーン番号等である。また、シーン情報とは、例えば、動画像における開始時刻および終了時刻や、動画像における開始フレームおよび終了フレームの番号等で定義される情報である。
【００８７】
また、図１０に示すように、オリジナルページ４４が端末装置２０の画面の表示領域４４０よりも広い場合において、オリジナルページ４４の表示を再開する場合に、最後に表示領域４４０内に表示されていた箇所、すなわち、最後にオリジナルページ４４をスクロールさせた位置から再びオリジナルページ４４を表示させるようにしてもよい。
【００８８】
この場合、端末装置２０は、オリジナルページ４４の構成、ならびに、端末装置２０におけるフォントサイズ、ウインドウサイズ、およびディスプレイの解像度等の表示情報に基づいて、表示領域４４０内に表示されている文字の中で最上段かつ左端に表示されている文字４４１を特定し、特定した文字４４１を示す情報である基準文字情報を、最終閲覧情報と共に電子文書配信サーバ３０へ送信する。電子文書配信サーバ３０は、受信した基準文字情報を、ユーザＩＤに対応付けて格納する。
【００８９】
そして、ログイン要求を受信した場合に、ログイン要求に含まれるユーザＩＤに対応する基準文字が格納されているときには、電子文書配信サーバ３０は、現時点での端末装置２０における表示情報を端末装置２０に問い合わせる。そして、現時点での端末装置２０における表示情報を端末装置２０から受け付けた場合に、電子文書配信サーバ３０は、基準文字を表示領域４４０の最上段に表示さるために必要なスクロールの量を算出し、算出したスクロール量を配信すべきページと共に端末装置２０へ配信する。
【００９０】
そして、端末装置２０は、電子文書配信サーバ３０から受信したオリジナルページ４４を、オリジナルページ４４と共に受信したスクロール量だけスクロールさせて表示装置２１に表示する。
【００９１】
これにより、図１０（ａ）に示す状態でオリジナルページ４４の表示を終了した後に、再びオリジナルページ４４を表示する場合、端末装置２０は、図１０（ａ）に示すようにオリジナルページ４４の表示を再開することができる。
【００９２】
さらに、ＰＣ等の端末装置２０において図１０（ａ）に示す状態でオリジナルページ４４の表示を終了した後に、携帯電話等の端末装置２０において再びオリジナルページ４４に対応する代替ページを表示する場合、端末装置２０は、図１０（ｃ）に示すように、表示領域４６０の最上段に基準文字に対応する文字４６１が表示されるようにスクロールされた状態で、オリジナルページ４４に対応する代替ページ４６を表示することができる。
【図面の簡単な説明】
【００９３】
【図１】本発明の一実施形態に係る電子文書配信システム１０の構成を示すシステム構成図である。
【図２】端末装置２０の詳細な機能構成の一例を示すブロック図である。
【図３】電子文書配信サーバ３０の詳細な機能構成の一例を示すブロック図である。
【図４】電子文書格納部３０４に格納されるデータの構造の一例を示す。
【図５】ページ構成が端末種別毎に異なる場合の一例を説明するための概念図である。
【図６】最終閲覧情報格納部３０２に格納されるデータの構造の一例を示す。
【図７】対応表格納部３０５に格納されるデータの構造の一例を示す。
【図８】端末装置２０の動作の一例を示すフローチャートである。
【図９】電子文書配信サーバ３０の動作の一例を示すフローチャートである。
【図１０】閲覧を終了したページ内の位置から電子文書の閲覧を再開する場合の一例を説明するための概念図である。
【符号の説明】
【００９４】
１０・・・電子文書配信システム、１１・・・通信網、１２・・・基地局、２０・・・端末装置、２００・・・閲覧要求送信部、２０１・・・表示部、２０２・・・最終閲覧情報送信部、２１・・・表示装置、２２・・・入力装置、３０・・・電子文書配信サーバ、３００・・・閲覧要求受付部、３０１・・・電子文書配信部、３０２・・・最終閲覧情報格納部、３０２０・・・ユーザＩＤ、３０２１・・・最終閲覧情報、３０３・・・最終閲覧情報受付部、３０４・・・電子文書格納部、３０４０、３０５０・・・端末種別、３０４１・・・ページデータ、３０５・・・対応表格納部、３０５１・・・ページＩＤ、４０、４４・・・オリジナルページ、４００・・・タイトル、４０１、４２０・・・動画像表示領域、４０２、４２１、４３１・・・テロップ表示領域、４０４、４２２、４２３、４３２、４３３・・・ボタン、４０５、４０６、４０７、４１０、４１１、４１２・・・サムネイル、４１、４２、４３、４５、４６、４７・・・代替ページ、４３０・・・ダイジェスト表示領域、４４０、４６０・・・表示領域、４４１、４６１・・・文字
【図１】
2006318308.tif 000003
【図２】
2006318308.tif 000004
【図３】
2006318308.tif 000005
【図４】
2006318308.tif 000006
【図５】
2006318308.tif 000007
【図６】
2006318308.tif 000008
【図７】
2006318308.tif 000009
【図８】
2006318308.tif 000010
【図９】
2006318308.tif 000011
【図１０】
2006318308.tif 000012